(57)【要約】      （修正有）【課題】偽造及び再使用の防止が可能で、被貼着物上の表示等を透視できるクリアラベルを提供する。【解決手段】クリアラベルの透明な基材シート１には、その周縁においてレーザにより切り抜かれた少なくともひとつのノッチ１ａ、及びノッチの内側の一部においてレーザにより切り抜かれた少なくとも一本の破線１ｂからなる脆弱部が、その内側に透明な空白部１ｚを残して配置されている。ラベルの剥離再利用や偽造は、レーザによるこのノッチ及び破線の構造により確実に防止できる。また基材シートに特段の表示がなくても、基材シートに表示ホイルを貼着しておくことで、クリアラベルの空白部を透して、被貼着物上の表示や表示ホイル又はデカールの表示が読み取り可能となる。本クリアラベルは、特に壜の封緘用のラベルや、包装体の封緘用ストリップとして好適である。【選択図】図１
0003164301.tif 000002
【実用新案登録請求の範囲】
【請求項１】
台紙に接着剤を介して貼着された透明な基材シートを有するラベルであって、該基材シートの周縁においてレーザにより切り抜かれた少なくともひとつのノッチ及び該ノッチの内側の一部においてレーザにより切り抜かれた少なくとも一本の破線からなる脆弱部を、該基材シートの該破線より内側に透明な空白部を残して配置してなり、被貼着物に貼着された基材シートの前記透明な空白部を通して、貼着物又は被貼着物上の表示を読み取ることができるようにしたクリアラベル。
【請求項２】
基材シートの接着剤と台紙の間に、さらに糊剤を有する脆弱な表示ホイル又はデカールを介装し、該接着剤を介して基材シートを表示ホイルに、該糊剤を介して表示ホイルを台紙に貼着してなり、被貼着物に貼着された基材シートの透明な空白部を通して表示ホイル又はデカールの表示を読み取ることができるようにした請求項１記載のクリアラベル。
【請求項３】
基材シートが、厚さ１６〜５０μｍ、無色又は有色、透明度７０％以上である請求項１記載のクリアラベル。
【請求項４】
脆弱部のノッチが、対向する内側面のＺ軸方向において変形している請求項１記載のクリアラベル。
【請求項５】
破線が十字型又はＴ字型である請求項１記載のクリアラベル。
【請求項６】
さらに、インライン、アウトライン又は島部架橋部のいずれかにおいてレーザにより脆弱化された描像が、基材シートの周縁部の任意の箇所に、透明な空白部を残して配置されている請求項１記載のクリアラベル。
【請求項７】
基材シートが実質的に円形であって、該基材シートの周縁の相対向する位置においてレーザにより切り抜かれた少なくとも一対のノッチ及び該ノッチの内側においてレーザにより切り抜かれた十字型の環状破線からなる脆弱部が、該環状破線の内側に透明な空白部を残して該基材シートに配置されており、該基材シート又は該基材シートと表示ホイルを壜類の王冠を封緘するのに用いる請求項１〜６記載のいずれかのクリアラベル。
【請求項８】
基材シートが実質的に短冊状のストリップであって、該ストリップの長手方向の両側においてレーザにより切り抜かれた少なくとも一対のノッチ及び該ストリップを横断することなく、該ノッチの長手方向の内側の一部においてレーザにより切り抜かれた十字型破線からなる脆弱部が、該十字型破線の内側に透明な空白部を残して該基材シートに配置されており、該基材シート又は該基材シートと表示ホイルを容器又は包装体の開口部を封緘するのに用いる請求項１〜６記載のいずれかのクリアラベル。
【考案の詳細な説明】
【技術分野】
【０００１】  本考案は、レーザにより加工され、偽造又は剥がすと破断され再利用できないラベルに関するものである。特に、本考案は、被貼着物又は被貼着物上の表示が透視可能で、容器又は包装体からなる被貼着物の開口部を封緘するのに適したクリアラベルに関するものである。
【背景技術】
【０００２】  近年、急速に増加の一途をたどっている商品や産地の偽装行為には、次の三つの態様が考えられる。
（１）ラベル自体を偽造し、偽の商品に貼着する。
（２）真のラベルを剥がして再利用し、偽の商品に貼る。
（３）壜や包装体をラベルとともに再利用し、その壜や包装体の中身のみを偽の商品に入れかえる。【０００３】  これらに対処するために、ラベルに機械的スリットを入れ、ラベルを剥がそうとするとスリット部分から破断されてラベルの再利用を防止する技術が、例えば特許文献１により知られている。特許文献１には、またスリットがミシン目のような破線に加えて、十字型であることも記載されている。特許文献２及び３は、この機械的に切り抜かれたスリットに代え、レーザにより切り抜かれた弱化ライン又はスリットを有する再利用防止ラベルを開示している。とりわけ、特許文献３には、レーザ加工スリットを設けた封緘用のストラップも記載されている。
【先行技術文献】
【特許文献】
【０００４】
【特許文献１】特開２００１−３０５９６３号公報
【特許文献２】特許第４２２７９４８号公報
【特許文献３】特開２００８−２５５３５４号公報
【考案の概要】
【考案が解決しようとする課題】
【０００５】  特許文献１は、スリットのような機械的弱部を有し、貼着後剥がそうとすると、該弱部が破断するようにした偽装行為防止の基本技術を開示しているが、機械的スリットでは、薄い合成樹脂フィルムの加工は困難であり、用途もゴミ袋のごとき包装体用ラベルとしての使用に限られる。また、これではラベル自体の偽造が容易で、偽ブランド品に偽造ラベルを貼着する偽装行為までは阻止できない。【０００６】  特許文献２及び３のラベルは、このスリットをレーザにより切り抜いている点で、特許文献１よりも高精度の技術である。しかし、特許文献２のラベルを構成するホイル層は、レーザ作用により弱化できるホイル層と、あらかじめレーザ作用により弱化されたホイル層の２層構造からなり、その構造はきわめて複雑である。したがって、かかる構成では、被貼着物の表示等を透視することは、仮に透明ホイルを使用してもできない。一方、特許文献３のストラップは、段ボールや梱包体の開封部に貼着後、レーザジオメトリをレーザにより形成するもので、再利用は防止できるが、特許文献２同様に被貼着物の表示等を透視する技術への言及はない。また両者ともに、レーザ加工技術としては、単純なスリット切り抜き加工の域にとどまっており、偽造ラベルの真贋判定を可能にするスリット構造にはいっていない。【０００７】  本考案は、前記のごとき課題を解決したもので、偽造の防止と再利用の防止が可能で、しかも貼着物又は被貼着物上の表示等を透視できるようにしたクリアラベルを提供することを目的としている。
【課題を解決するための手段】
【０００８】  前記目的を達成した本考案のクリアラベルは、下記の特徴及び形態を含む。
項１：台紙に接着剤を介して貼着された透明な基材シートを有するラベルであって、該基材シートの周縁においてレーザにより切り抜かれた少なくともひとつのノッチ及び該ノッチの内側の一部においてレーザにより切り抜かれた少なくとも一本の破線からなる脆弱部を、該基材シートの該破線より内側に透明な空白部を残して配置してなり、被貼着物に貼着された基材シートの前記透明な空白部を通して、貼着物又は被貼着物上の表示を読み取ることができるようにしたクリアラベル。
項２：基材シートの接着剤と台紙の間に、さらに糊剤を有する脆弱な表示ホイル又はデカールを介装し、該接着剤を介して基材シートを表示ホイルに、該糊剤を介して表示ホイルを台紙に貼着してなり、被貼着物に貼着された基材シートの透明な空白部を通して表示ホイル又はデカールの表示を読み取ることができるようにした項１のクリアラベル。
項３：基材シートが、厚さ１６〜５０μｍ、無色又は有色、透明度７０％以上である項１のクリアラベル。
項４：脆弱部のノッチが、対向する内側面のＺ軸方向において変形している項１のクリアラベル。
項５：破線が十字型又はＴ字型である項１のクリアラベル。
項６：さらに、インライン、アウトライン又は島部架橋部のいずれかにおいてレーザにより脆弱化された描像が、基材シートの周縁部の任意の箇所に、透明な空白部を残して配置されている項１のクリアラベル。
項７：基材シートが実質的に円形であって、該基材シートの周縁の相対向する位置においてレーザにより切り抜かれた少なくとも一対のノッチ及び該ノッチの内側においてレーザにより切り抜かれた十字型の環状破線からなる脆弱部が、該環状破線の内側に透明な空白部を残して該基材シートに配置されており、該基材シート又は該基材シートと表示ホイルを壜類の王冠を封緘するのに用いる項１〜６のいずれかのクリアラベル。
項８：基材シートが実質的に短冊状のストリップであって、該ストリップの長手方向の両側においてレーザにより切り抜かれた少なくとも一対のノッチ及び該ストリップを横断することなく、該ノッチの長手方向の内側の一部においてレーザにより切り抜かれた十字型破線からなる脆弱部が、該十字型破線の内側に透明な空白部を残して該基材シートに配置されており、該基材シート又は該基材シートと表示ホイルを容器又は包装体の開口部を封緘するのに用いる項１〜６のいずれかのクリアラベル。
【考案の効果】
【０００９】  本考案のクリアラベルによれば、以下の効果及び利点がある。
（１）基材シートが一定の透明度を有し、かつレーザ加工された脆弱部あるいは描像が該基材シートの周縁に配置され、残された透明な空白部を通して、被貼着物の材質、色彩又は被貼着物上の表示等をそのまま読み取ることができる。
（２）基材に配置されたレーザ加工された脆弱部のノッチと破線ラインの組み合わせにより、貼着後ラベルを剥がそうとすると脆弱部に物理的変位が起こり、ラベルの再利用を確実に阻止することができる。また、これを封緘に用いれば、壜や包装体を開封して、中身を入れ替えるような再利用も阻止できる。
（３）レーザによるノッチの断面Ｚ軸方向の特殊形状加工、あるいは文字列を含む描像のインライン、アウトライン加工、島部体描像の架橋部の高度な脆弱加工により、ラベルの真贋判定が容易で、偽造を確実に防止できる。
（４）脆弱表示ホイル又はデカール付きクリアラベルにより、偽造、再利用防止を一層確実に阻止するとともに、被貼着物に特段の表示がなくても、簡便に所望の表示を付加、読み取りすることができる。
【図面の簡単な説明】
【００１０】
【図１】図１は、本考案のクリアラベルを模式的に示すもので、（Ａ）は平面図、（Ｂ）は（Ａ）のＹ方向の側面図である。
【図２】図２は、本考案のストリップタイプのクリアラベルを模式的に示すもので、（Ａ）は平面図、（Ｂ）は（Ａ）のＹ方向の側面図である。
【図３】図３は、脆弱な表示ホイル又はデカールを有するクリアラベルを模式的に示すもので、（Ａ）は平面図、（Ｂ）は（Ａ）のＹ方向の側面図である。
【図４】図４は、本考案の脆弱部のひとつであるノッチの構造を一部切り欠いて示すもので、（Ａ）は平面図、（Ｂ）は（Ａ）のＺ軸方向の側面図である。
【図５】図５は、本考案の脆弱部のひとつである十字型の破線を模式的に示す平面図である。
【図６】図６は、本考案の描像のひとつである脆弱部を有する文字列を模式的に示す平面図で、（Ａ）は脆弱スリットを有する文字列、（Ｂ）は脆弱架橋部を有する文字列である。
【図７】図７は、本考案の描像の脆弱加工を模式的に示すもので、（Ａ）はインライン加工、（Ｂ）はアウトライン加工である。
【考案を実施するための形態】
【００１１】  以下、図面に従って、本考案のクリアラベルの好適な実施の形態について詳述する。図１は、実質的に円形のクリアラベルの一例を模式的に示す。同図において、クリアラベルは、透明な基材シート１と、基材シート１の下面に設けられた接着剤２と、接着剤２の下面に貼着された台紙３から構成されている。以下本発明において、「透明」とは、無色又は有色であってもよく、クリアラベルを透して、所望の表示を読み取りできる程度の透明度を有することを意味する。実用上は、透明度５０％以上、好適には７０％以上である。基材シート１には、その周縁に少なくともひとつのノッチ１ａがレーザにより切り抜かれている。ノッチ１ａの数は、特に制限はないが、相対向する位置に一組み以上設けるのが実用的で、４５度対角線上に８個設けるのが、どこから剥離しようとしても破断される易くさらに望ましい。またノッチ１ａの内側には、レーザにより切り抜かれた環状破線１ｂを設ける。この環状破線１ａは、図１に示すように、全円ではなくても、少なくともノッチ１ａの対向面に一定の周長だけ設けてもよい。必要に応じて、コード、文字、記号、模様、図、画像、又はそれらの組み合わせからなる視認可能な描像１ｃを設けることもできる。描像１ｃは、インク印刷でもよいしレーザ加工でもよいが、レーザ加工が望ましい。好適には、ノッチ１ａと破線１ｂの中間に配置する。本考案のクリアラベルの特徴は、ノッチ１ａ、破線１ｂ、あるいは描像１ｃの配置である。基本的には、これらを中央に透明な空白部１ｚを残すように、周縁に配置する。この円形ラベルを、例えばブランド飲料壜の王冠に貼着すると、王冠に表示されている元のデザインは、この空白部１ｚを透して読み取ることができる。加えて、クリアラベルを剥がして再利用しようとすると、ノッチ１ａ、破線１ｂからクリアラベルが破断される。むろん、クリアラベルのない王冠は偽装王冠とされる。
【００１２】  図２は、短冊状のクリアラベルからなるストリップを例示している。同図においては、長手方向の両側辺に少なくとも１個のノッチ１ａを設けるとともに、そのノッチ１ａの内側に破線１ｂを設ける。描像１ｃは、例えば中央部を避けて、短手方向の両側辺に沿って配置するのが望ましい。図１の円形クリアラベル同様に、ストリップのノッチ１ａ、破線１ｂ、あるいは描像１ｃは、中央部に透明な空白部１ｚを残して配置する。このストリップは、例えばブランド壜の王冠嵌合部に巻いたり、包装体の開口部をシールしたりして封緘するのに適している。
【００１３】  図１及び図２では、円形ラベルと短冊状ラベルを例示したが、基材シート１の平面形状は、透視したい表示の形に合わせ、多角形でも楕円形でも任意に選択できる。また、本考案に用いる基材シート１には、被貼着物の性状、色彩、表示等を透視可能な程度に透明な素材からなる合成樹脂シートを用いる。透明度は、使用目的に応じて異なるので特定は難しいが、一般的には５０％（半透明）から１００％（透明）、好ましくは７０％〜１００％の範囲内である。厚さは１６〜２００μｍ程度である。色は、無色が望ましいが、透視性を損なわない範囲において着色されていてもよい。素材に用いる合成樹脂シートとしては、薄いフィルム状の柔軟可撓性素材が望ましい。実際には、加工性、耐薬品性、耐久性、取扱性、汎用性等ラベルの使用目的により異なるが、塩素含有素材を除くほとんどの素材に対し、レーザ加工可能である。例えば、ユポ（株式会社ユポ・コーポレーションの商標名）、ポリエチレンテレフタレート、ポリエチレンナフタレート、ポリエチレン、ポリプロピレン、ポリアセタール、アクリロニトリル・ブタジエン・スチレン共重合体、テフロン、ポリエーテルイミド、ポリエーテル・エーテル・ケトン、ポリイミド、ポリアミド等のシートを挙げることができる。
【００１４】  接着剤層に用いる接着剤には、透視性を妨げない範囲であれば特に制限はなく、アクリル系接着剤、ゴム系接着剤を好適に使用できる。
【００１５】  台紙３は剥離紙である。剥離紙は、一般的には剥離紙基材シートと、接着剤２に接触する剥離層と、剥離剤が剥離紙基材シートに浸透するのを防止する目止め層（図示せず）からなる。剥離紙基材シートには、用途により半晒紙、上質紙、グラシン紙などを用いる。目止め層にはポリエチレン系が多く用いられ、厚みは数〜数十μｍである。浸透性の低いグラシン紙などの基材シートについては、目止め層がなくてもよい。また浸透性の高い剥離紙基材シートでは、目止め層をクレーコートやポリビニルアルコールなどで被覆する。剥離層には離形剤として知られるシリコン樹脂の使用が一般的である。
【００１６】  図３は、本考案の異なった態様である脆弱表示ホイル付きクリアラベルを例示する。図３において、この表示ホイル４は、所望の表示４ａ、例えば図３（ａ）に示すようなＱＲコードや会社情報などが印刷されており、図３（ｂ）に示すように、基材シート１の接着剤２と台紙３の間の全面又は部分的に介装されている。５は糊剤である。すなわち、基材シート１と表示ホイル４は接着剤２により接着され、表示ホイル４と台紙３は糊剤５により接着されている。表示ホイル４には、好適にはデカール（転写フィルム）を用いこともできる。使用に際しては、クリアラベルを糊剤５の部分で台紙３から剥がし、被貼着物の表面に貼るだけで、被貼着物に表示がなくても被貼着物に所望の情報を与え、基材シートの透明空白部１ｚを介して読み取ることができる。この表示ホイル４には、基材シート１を剥がそうとすると破壊され易い脆弱な素材、例えばインスタントレタリング、ウォータースライドデカール等を用いる。したがって、一旦貼着後クリアラベルを剥がそうとすると、表示シート４の一部が表示とともに被貼着物に残り、再利用は困難である。特にデカールの場合は、デカールに印刷された表示が被貼着物表面に転写されて残り、基材シート１側から喪失するので、仮に表示ホイルが破壊を免れても、クリアラベルの再使用は不可能である。加えて、被貼着物表面に残った表示により、被貼着物の真贋も容易に判定できる。糊剤５には、台紙３から剥がし易いように、基材シート１の接着剤２よりも弱い接着力の水溶性糊材たとえば澱粉糊、ラテックス等を好適に用いることができる。
【００１７】  本考案のノッチ１ａの構造は、図１（Ｂ）に示すように、Ｚ軸方向において垂直線でもよいが、例えば図４の１ａａに示すような平面Ｖカットでも、Ｚ軸方向においては凸状に隆起したり、逆に凹状に窪んだり、ぎざぎざの段階状に加工された変形部分１ａｂとすることもできる。これらの独特のレーザによる微細加工処理は、本考案のクリアラベルの真贋識別性の機能をも果たす。
【００１８】  本考案の破線１ｂは、基材シート１から切り落とされることがないような不連続のドットや鎖線であればよいが、好適には図５の２ａに示すような十字型、あるいはＴ型がよい。破線は、ノッチ１ａの近傍にあれば、十字型又はＴ型の場合ならノッチ１ａからの破断の伝播は容易であるが、単なる破線でも、図２に示すように、ノッチ１ａと破線１ｂを交差配置しておけば、破断は速やかに伝播し、クリアラベル全体が破壊される。
【００１９】  本考案において、描像１ｃに破断を容易にする脆弱部を設ける場合は、図６（Ａ）に示すように、例えば印刷文字列などの一部にレーザによるスリット１ｃａを設ければよい。しかし、描像１ｃ自体をレーザ加工するのが、破断による再利用防止のみならず、クリアラベルの偽造防止、真贋判定の点から望ましい。例えば、描像１ｃをレーザ加工する場合には、図７に示すように描像１ｃを構成する線分袋地のインライン１ｃｄを切り抜くこともできるし、アウトライン１ｃｅを切り抜くこともできる。しかし、いずれの場合も、例えば図６（Ｂ）に示すような島部１ｃｂを有する文字あるいは図形では、レーザにより島部全体を切り抜くと、文字又は図形が崩落する。崩落防止には、島部１ｃｂと基材シート１をつなぐ架橋部１ｃｃが不可欠である。本考案では、描像１ｃのインラインカット又はアウトラインカットの切り抜き幅を４００μｍ以下、好適には２０〜２００μｍに微細加工することもできるが、視認性の面から例えば文字フォントを６ポイント以上に大きくしても、このアンカット架橋部の幅を４００μｍ以下にして破断し易くすることもできる。
【００２０】  このようなレーザによる微細加工は、通常の炭酸ガスレーザを用いても可能である。この場合、照射条件、例えば出力パワー、画素濃度、集光サイズ、焦点距離、焦点深度などを適宜選択して行う。注意すべきは、レーザ加工は一種の熱処理である。熱に弱い薄い合成樹脂フィルムにレーザビームを当てると膨出、損傷等の熱劣化は避けられない。このため、これまでは薄い合成樹脂フィルムのレーザによる微細加工はできない、とされてきた。本考案では、前記の微細加工条件に加え、不活性ガスを任意の風圧で付与しながら、レーザ照射する出願人の固有技術（ＰＣＴ／ＪＰ２０１０／０５２６１３）により、かかる熱障害を防止している。
【００２１】  本考案のクリアラベルは、以下のように使用するのが好適である。例えば、円形クリアラベルの場合、透視したい部分を破線１ｂに囲まれた部分に当てる。対象描像がＱＲコードであっても、本考案のクリアラベルを介して読み取り可能である。またブランド壜の王冠に当てがい、破線１ｂ近傍で垂直に折り曲げてスカートを形成し、王冠の嵌合部まで貼着すると、王冠を開ければクリアラベルがノッチ１ａ、破線１ｂから破壊され、再利用を阻止できる。また、短冊形のストリップの場合も、壜の栓の上から中央にして、両側を壜本体に折り曲げて封緘したり、王冠の嵌合部に巻き付けたり、あるいはパッケージのごとき包装体の開口部をシールしたりして、開封後の偽商品の詰め替えを偽装できる。さらに本考案では、ノッチ、破線、好適には描像を基材シートの周縁に配置して、基材シートの中央クリア部から、元の被貼着物の意匠、ラベル表示、コードを透視できる。これにより、偽装防止工作が気付かれにくい利点もある。
【産業上の利用可能性】
【００２２】  本考案のクリアラベルは、被貼着物に表示があり、ラベルから表示を透視したいような容器、包装体のラベルとして、ラベルの偽造あるいは再利用を防止するのに産業上広く利用できる。とりわけ、本考案のクリアラベルは、著名ブランド品の壜容器王冠、あるいは商品包装体の開口部などを封緘するラベルやシールとして、好適に利用できる。
【符号の説明】
【００２３】１：基材シート
１ａ：ノッチ
１ａａ：ノッチの平面構造
１ａｂ：ノッチのＺ軸側面構造
１ｂ：破線
１ｃ：文字列
１ｃａ：文字列の脆弱スリット
１ｃｂ：文字列の島部
１ｃｃ：文字列の架橋部
１ｃｄ：文字列のインラインカット
１ｃｅ：文字列のアウトラインカット
１ｚ：透明空白部
２：接着剤
２ａ：十字型の破線
３：台紙
４：脆弱表示ホイル又はデカール
４ａ：表示
５：糊剤
【図１】
0003164301.tif 000003
【図２】
0003164301.tif 000004
【図３】
0003164301.tif 000005
【図４】
0003164301.tif 000006
【図５】
0003164301.tif 000007
【図６】
0003164301.tif 000008
【図７】
0003164301.tif 000009
【手続補正書】
【提出日】平成22年9月3日(2010.9.3)
【手続補正１】
【補正対象書類名】明細書
【補正対象項目名】００１３
【補正方法】変更
【補正の内容】
【００１３】  図１及び図２では、円形ラベルと短冊状ラベルを例示したが、基材シート１の平面形状は、透視したい表示の形に合わせ、多角形でも楕円形でも任意に選択できる。また、本考案に用いる基材シート１には、被貼着物の性状、色彩、表示等を透視可能な程度に透明な素材からなる合成樹脂シートを用いる。透明度は、使用目的に応じて異なるので特定は難しいが、一般的には５０％（半透明）から１００％（透明）、好ましくは７０％〜１００％の範囲内である。厚さは１６〜２００μｍ程度である。色は、無色が望ましいが、透視性を損なわない範囲において着色されていてもよい。素材に用いる合成樹脂シートとしては、薄いフィルム状の柔軟可撓性素材が望ましい。実際には、加工性、耐薬品性、耐久性、取扱性、汎用性等ラベルの使用目的により異なるが、塩素含有素材を除くほとんどの素材に対し、レーザ加工可能である。例えば、ユポ（登録商標）、ポリエチレンテレフタレート、ポリエチレンナフタレート、ポリエチレン、ポリプロピレン、ポリアセタール、アクリロニトリル・ブタジエン・スチレン共重合体、テフロン（登録商標）、ポリエーテルイミド、ポリエーテル・エーテル・ケトン、ポリイミド、ポリアミド等のシートを挙げることができる。
【手続補正２】
【補正対象書類名】明細書
【補正対象項目名】００１６
【補正方法】変更
【補正の内容】
【００１６】図３は、本考案の異なった態様である脆弱表示ホイル付きクリアラベルを例示する。図３において、この表示ホイル４は、所望の表示４ａ、例えば図３（ａ）に示すようなＱＲコード（登録商標）や会社情報などが印刷されており、図３（ｂ）に示すように、基材シート１の接着剤２と台紙３の間の全面又は部分的に介装されている。５は糊剤である。すなわち、基材シート１と表示ホイル４は接着剤２により接着され、表示ホイル４と台紙３は糊剤５により接着されている。表示ホイル４には、好適にはデカール（転写フィルム）を用いこともできる。使用に際しては、クリアラベルを糊剤５の部分で台紙３から剥がし、被貼着物の表面に貼るだけで、被貼着物に表示がなくても被貼着物に所望の情報を与え、基材シートの透明空白部１ｚを介して読み取ることができる。この表示ホイル４には、基材シート１を剥がそうとすると破壊され易い脆弱な素材、例えばインスタントレタリング、ウォータースライドデカール等を用いる。したがって、一旦貼着後クリアラベルを剥がそうとすると、表示シート４の一部が表示とともに被貼着物に残り、再利用は困難である。特にデカールの場合は、デカールに印刷された表示が被貼着物表面に転写されて残り、基材シート１側から喪失するので、仮に表示ホイルが破壊を免れても、クリアラベルの再使用は不可能である。加えて、被貼着物表面に残った表示により、被貼着物の真贋も容易に判定できる。糊剤５には、台紙３から剥がし易いように、基材シート１の接着剤２よりも弱い接着力の水溶性糊材たとえば澱粉糊、ラテックス等を好適に用いることができる。
【手続補正３】
【補正対象書類名】図面
【補正対象項目名】図２
【補正方法】変更
【補正の内容】
【図２】
0003164301.tif 000010
【図２】
0003164301.tif 000011
【手続補正４】
【補正対象書類名】図面
【補正対象項目名】図３
【補正方法】変更
【補正の内容】
【図３】
0003164301.tif 000012
【図３】
0003164301.tif 000013